(57)【要約】【課題】  導光板10の表面への加工等を必要とすることなく、部分的な輝度ムラを無くすか、あるいは意図的に輝度ムラを形成することのできる面発光照明器具50を提供する事。【解決手段】  端面から入射した光によって面発光する導光板10を使用し、当該導光板10の背面側に反射板30を設けると共に、この導光板10と反射板30との間隔を調整することにより、発光面12における輝度ムラを大幅に低減した面発光照明器具50とし、導光板10と反射板30との間隔を、１ｃｍ以上とした面発光照明器具50、及び此れを用いた情報表示装置60とディスプレイ付き家具70を提供する。【選択図】図５
2017041386.tif 000002
【特許請求の範囲】
【請求項１】
透明な板状体からなる導光板と、
当該導光板における少なくとも何れかの端面から、当該導光板内に光を照射する光源と、
前記導光板と対向状に配置された反射板とを備える面発光照明器具であって、
前記導光板には、光源から入射した光を発光面に向かわせる導光部が設けられており、
前記導光板と反射板とが、１ｃｍ以上離間して設けられている、面発光照明器具。
【請求項２】
前記導光部は、正面側を発光面とする板状体の背面側に、前記光源から入射した光の５０％以上を反射させる塗料を印刷して設けた複数のドットであり、
当該印刷によって設けられた複数のドットは、前記光源からの光が入射される端面の近傍から離れるにしたがって、単位面積当たりの印刷面積が増加していることを特徴とする、請求項１に記載の面発光照明器具。
【請求項３】
前記導光板において、光源から入射した光の進路の先端側に存在する端面は、発光面との内角が鈍角となるように傾斜している、請求項１又は２に記載の面発光照明器具。
【請求項４】
前記導光板は、発光面以外を包囲する筐体内に収容されており、
当該筐体内において前記導光板の各面と対向する面は、光源の光を反射させる色で形成されている、請求項１〜３の何れか一項に記載の面発光照明器具。
【請求項５】
テーブル、演台及びテレビ台を含む家具であって、少なくとも１又は２以上の面発光部分を備えており、
当該面発光部分には、請求項１〜４の何れか一項に記載の面発光照明器具が装填されている事を特徴とする家具。
【請求項６】
光の透過によって情報を表示する情報表示シートと、
当該情報表示シートに透過光を照射する照明器具とからなる情報表示装置であって、
当該照明器具として、請求項１〜４の何れか一項に記載の面発光照明器具が使用されており、
前記情報表示シートは、前記面発光照明器具の導光板における発光面の前面に設けられる情報表示装置。
【発明の詳細な説明】
【技術分野】
【０００１】
本発明は、看板を含む照明広告板、案内板を含む照明標識板、屋内外における照明デイスプレイや照明器具、照明階段や照明床等の照明構造物等において使用可能な面発光照明器具に関し、特に簡易な構造でありながらも、輝度を高める事の出来る面発光照明器具に関する。
【背景技術】
【０００２】
従来、液晶ディスプレイやサインパネル等を始めとした面発光照明器具において、その薄型化を実現する為に導光板が使用されている。かかる導光板は、多くの場合、透明アクリル樹脂板等で構成されており、その側面や上下端面から入射させたＬＥＤやＣＣＦＬ等の光源の光を拡散させて、表面方向に均一の光を出射するように構成されている。そして光源から入射した光をパネルの表面方向に拡散させる為に、透明アクリル樹脂板等には、レーザー波でドットを形成したり、ドットパターンを印刷したり、プロッターでＶ溝を形成したり、凹凸を形成した成形型で成型する事が行われている。そしてドットパターンを印刷することについては、透明アクリル樹脂板等に白色などの反射塗料を印刷して導光板を形成する技術も幾つか提案されている。
【０００３】
例えば、特許文献１（特開平１１−２７１５３７号公報）では、光線入射側部から反光線入射側までの長さの長い導光板として、全長にわたって均一な発光作用が得られる照明用導光板として、透明アクリル樹脂板の裏面全域に、光線入射側部から反光線入射側部に向かって光度の減衰を補償可能な反射面積を漸増するように徐々に濃密化する粗密模様形の光反射部を設けてなる照明用導光板が提案されている。そしてこの文献の段落番号〔０００７〕欄には、「またこの粗密模様の光反射部は、光反射性塗料（インクを含む）（酸化チタン系塗料など）による模様印刷方式（スクリーン印刷方式など）や光反射性塗料による印刷模様の転写方式などによる光反射性塗料のプリントのほか、スクラッチによる傷等の形態で設けることができる」事が開示されている。
【０００４】
また、面発光を実現する為に導光板を使用した面光源装置も提案されている。例えば特許文献２（特開２００６−２３６７４９号公報）では、白色光源と、該白色光源からの出射光が入射して光出射面から出射されていく導光板とを備えた面光源装置であって、面光源装置から出射される白色光の演色性を向上するための技術が提案されている。そしてこの文献における導光板の光出射面には、輝度ムラを低減するための光散乱用のドットが多数、形成されており、その段落番号〔００２３〕欄には、「導光板７の光出射面７５の散乱用のドット８は、光出射面７５の輝度ムラを低減するためのもので、本形態では、ホワイトインキをドット状にスクリーン印刷することにより形成されている。そのドットパターンは、発光ダイオード６から離れるにしたがってドットが大きくなるように形成されており、発光ダイオード６から離れた位置でも十分に輝度を発現できるようになっている」ことが開示されている。
【０００５】
更に従前においては、情報を表示する為のディスプレイを備えた家具も提案されている。例えば特許文献３では、家具本来の使用を妨げない部分に、表示対象情報を表示した一連の透光性フィルムと、フィルムの一部を外部から目視可能に配置するための窓部と、フィルムの目視対象の各部を窓部に順次配置できるように該フィルムを支持し、所定方向に移動させるフィルム支持駆動装置と、窓部に配置されるフィルム部分を該窓部内側から照明する蛍光灯及び反射板とを含むディスプレイ部を備えたディスプレイ付き家具が提案されている。
【先行技術文献】
【特許文献】
【０００６】
【特許文献１】特開平１１−２７１５３７号公報
【特許文献２】特開２００６−２３６７４９号公報
【特許文献３】実開平６−３８６９１号公報
【発明の概要】
【発明が解決しようとする課題】
【０００７】
上記特許文献１では、端面から入射した光を表面側に拡散させて放出する為に、印刷によって光反射部を形成する事、およびこの光反射部を、光線入射側部から反光線入射側部に向かって光度の減衰を補償可能な反射面積を漸増するように徐々に濃密化する粗密模様形に形成することが提案されている。また、特許文献２では、輝度ムラを低減するための散乱用のドットを、発光ダイオードから離れるにしたがってドットが大きくなるように形成することが開示されている。
【０００８】
しかしながら、前記特許文献１の技術では、光反射部で散乱された光しか表面側に出射させることができず、その結果、高輝度の照明を実現する上で未だ十分ではなかった。一方、前記特許文献２では、導光板から漏れた光を再利用する為に、導光板側の面に光反射層を設けた反射板を設置する事が提案されているが、端面から入射した光を表面側に反射させるのは凹凸であって、しかも光出射面には輝度ムラを低減するための光散乱用のドットが多数形成されていることから、導光板には、表裏の両面に加工が必要となっていた。
【０００９】
そこで本発明は、端面から入射した光を効率的に表面から出射させることができ、しかも導光板の表面への加工等を必要とすることなく、部分的な輝度ムラを無くすか、あるいは意図的に輝度ムラを形成することのできる面発光照明器具を提供する事を第一の課題とする。
【００１０】
また、前記先行文献で開示されている導光板は、端面から光が入力されることになるが、その光路の先端側に存在する反対側の端面は平坦面に加工されていることから、そのまま導光板の外に放出されていた。その結果、当該導光板内に導かれた光の全てを正面側から放出する事ができなかった。
【００１１】
そこで本発明は、光が入射する端面の反対側の面に加工を施すことにより、入射光を効率的に正面側に放出する事ができるようにした面発光照明器具を提供する事を第二の課題とする。
【００１２】
更に、従前においては、情報を表示する為のディスプレイ付き家具も提案されている。しかしながら、上記従来提案されているディスプレイ付き家具は、蛍光灯を使用していることから、熱が蓄積してしまうという問題があった。また、表示対象情報を表示した透光性フィルムを配置した窓部は蛍光灯によって照明されるものとなっていたが、少なからず輝度ムラが生じてしまうものとなっていた。
【００１３】
そこで本発明は、照明による発熱量を抑え、輝度ムラが生じることなく、任意の情報を表示したり、或いは装飾的な効果を高めることのできる表示部を備えた、演台などの家具を提供する事を第三の課題とする。
【課題を解決するための手段】
【００１４】
上記課題の少なくとも何れかを解決する為に、本発明では端面（上下端面及び左右端面を含み、発光面の縁部に存在する面。以下同じ）から入射した光によって面発光する導光板を使用し、当該導光板の背面側に反射板を設けると共に、この導光板と反射板との間隔を調整することにより、発光面における輝度ムラ、特に光の入射端面からの距離に基づく輝度ムラを大幅に低減した面発光照明器具を提供するものである。
【００１５】
即ち本発明にかかる面発光照明器具は、透明な板状体からなる導光板と、当該導光板における少なくとも何れかの端面から、当該導光板内に光を照射する光源と、前記導光板と対向状に配置された反射板とを備える面発光照明器具であって、前記導光板には、光源から入射した光を発光面に向かわせる導光部が設けられており、前記導光板と反射板とを１ｃｍ以上離間して設けることで、前記課題の少なくとも何れかを解決したものである。
【００１６】
かかる本発明の面発光照明器具によれば、導光板に入射した光源の光は、その殆どが導光部の発光面から出射される事になるが、一部の光は当該導光部の発光面以外に逃れてしまうこともある。そこで、このような導光部によって発光面から出射されなかった光を反射板によって反射させて、これを発光面から出射させることで、当該発光面における輝度ムラを大幅に低減した面発光照明器具を実現したものである。
【００１７】
即ち、本発明にかかる面発光照明器具では、反射板を設置している事から、導光板から漏れた光を、当該反射板で反射させて、これを導光板における発光面全体に向かわせることができる。その際、導光板と反射板とを、１ｃｍ以上離して設置していることから、当該反射板は、導光板から漏れた光によって均等に照射される事となり、これが発光面から出力されることから、当該発光面における輝度ムラ、特に光の入射端面からの距離に起因する輝度ムラを大幅に低減することができる。よって本発明にかかる面発光照明器具では、導光板と反射板との設置間隔を調整する事で、光を散乱させる為の加工やフィルムを設ける必要を無くして、発光面全体を均等な明るさで発光させることができる。
【００１８】
導光板と反射板との距離は、１ｃｍ未満であると、両者を平行に配置した場合には、光源の近傍の輝度は高まるものの、離れるにしたがって輝度が大幅に低下してしまう。このような輝度ムラを解消する為に、反射板を傾斜させて配置する事も考えられるが、その際には当該反射板の設置角度の調整が難しく、且つ導光板の高さが異なれば、再度反射板の傾斜角度を調整しなければならない。この点、本発明の様に導光板と反射板とを、１ｃｍ以上、望ましくは５ｃｍ以上離して設置することにより、導光板と反射板とを平行に配置しても、前記のような輝度ムラを無くすことができる。但し、導光板と反射板との距離を３０ｃｍ以上離しても、前記輝度ムラを無くすとの効果においては特段の差異は無く、むしろ面発光照明器具の奥行きが長くなってしまうことになる。よって、設置スペースを考慮すれば、本発明にかかる面発光照明器具において、導光板と反射板とは、５ｃｍ以上、２０ｃｍ以下離して設置するのが望ましい。
【００１９】
かかる本発明の面発光照明器具においては、導光板を面発光させる為（導光板に光を入力する為）に光源を使用している。導光板内に光を照射させる光源としては、ＬＥＤランプ、蛍光灯、冷陰極管、白熱電球、ハロゲンランプ、ＨＩＤランプなどを使用することができるが、消費電力や発光時の発熱を考慮すればＬＥＤランプや冷陰極管が望ましい。また、この光源が発する光は可視光領域の光である他、紫外光領域の光、赤外光領域の光であって良く、更に可視光領域の光であっても、白色光の他、赤色、黄色、青色等の何れかの波長領域の出力強度が高い光であっても良い。
【００２０】
そして、上記光源からの光が入射される導光板は、屈折率が高い透明材料を用いて形成する事が望ましい。意図しない光の散乱を抑えて、より広い範囲で面発光を実現できるようにするためである。かかる透明材料としては、例えばメタクリル樹脂（ＰＭＭＡ）、アクリル樹脂、或いはガラスなどを用いて形成する事ができる。但し、加工容易性、輸送安全性、設置容易性等を考慮すればアクリル樹脂が望ましい。
【００２１】
また上記導光板は、平板又は湾曲した板として形成する事ができ、その平面形状は、三角形、四角形、五角形などの多角形状の他、円形、楕円形、半円形状、或いはその他の意匠を模った形状などに形成する事ができる。そしてこの導光板の少なくとも何れかの端面からは、前記した光源の光が入射されることになる。かかる光源の光が入射される端面は、何れか一か所である他、対称位置に存在する端面、或いは任意に選択した２以上の端面であって良く、当該導光板における光の進路や、導光板自体の形状、導光板の大きさや、使用する光源の輝度などに応じて、適宜選択する事ができる。例えば、当該導光板が四角形の平板形状であって、且つ光路が長い場合には、光源からの光は対称位置に存在する両方の端面から入射させるのが望ましい。また、当該導光板の厚さは、任意であって良いが、後述する光源からの光を、当該導光板内に入射させる上では、５ｍｍ以上の厚さであるのが望ましい。導光板内に導入する光量を多くする為である。
【００２２】
上記導光板は板状に形成されており、端面から入射させた光源の光を、面方向（正面又は裏面）に出射することにより面発光を実現するものである。よって、当該導光板は、端面から入射した光を発光面に向かわせる為の導光部を備えている。かかる導光部は、何れかの面または両方の面に溝やドットを穿ったり又は隆起させて形成するか、或いは当該導光板の内部に気泡を形成して、光の衝突面を形成する他、当該導光板の何れか又は両方の面に、入射した光を反射させる塗料により、線、ドット、模様などを印刷することによって形成する事ができる。更に何れかの面に全面印刷した後に、当該印刷部分をエッチング又は溶かすなどにより、線、ドット、模様などを出現させることができる。例えば、板状に形成された導光板の正面側を発光面とする場合には、前記導光部は、その背面側に、ドット、線、又はその他の形状を、前記光源からの入射光の５０％以上、望ましくは７０％以上を反射させる塗料で印刷して設けることが望ましい。入射した光を減衰させることなく発光面から出射させるためである。
【００２３】
また導光部は、前記導光板の端面から入射した光源の光を発光面側に出射させるものであることから、前記導光部の形状や色彩などは、使用する光源の光の波長等との関係において、当該光を反射できるものが選択される。例えば、当該光源が発する光が白色であれば、前記導光部も白色等に形成されるのが望ましく、前記光源が発する光が青色であれば、前記導光部も青色等に形成されるのが望ましい。更に光源が発する光が紫外線であれば、前記導光部は白色等に形成されるのが望ましい。
【００２４】
そして上記の様に導光部を印刷によって形成する場合には、その印刷部分は光源からの光が入射される端面の近傍から離れるにつれて、単位面積当たりの印刷面積が増加していることが望ましい。例えば、導光板の背面側に複数のドットを印刷する場合には、光源からの光が入射される端面の近傍に存在するドットを小さい面積及び／又は粗い間隔で印刷し、当該端面から離れるにしたがってドットの面積を大きくし及び／又は密集した間隔で印刷する事ができる。光が入射する端面から離れるにしたがって、光度が減衰することになるが、当該導光板の単位面積当たりの印刷面積を増大させることにより、この光度の減衰を補って輝度を一定に保つことができるためである。
【００２５】
また、上記のような光路の長さに起因する光度の減衰の問題を解決する為に、印刷するドットの反射率を、光が入射する端面から離れるにつれて高まる様に形成する事もできる。例えば、光源として白色ＬＥＤを使用する場合には、その光が入射する端面近傍のドットは低い反射率である、灰色がかった白色で印刷し、当該端面から離れるにしたがって、純白色となるように印刷する事ができる。この場合でも、発光面の輝度を均等にする事ができる。
【００２６】
なお、上記の導光部は、意図的に輝度が不均一になる様に形成する事もできる。例えば、縞模様に高輝度の領域を存在させたり、或いは導光板の縁部分だけ、又は中心部分だけに限って輝度を高めるようにする事もできる。このような輝度の調整は、当該導光部の構造や色によって調整する事ができ、光の入射端面の近傍だけを明るくする場合には、当該領域における反射率を高める様に、大きいドット又は緻密な間隔でドットを配置する事ができる。
【００２７】
また、この導光板において光が出力される面（以下、「発光面」とする）は、板状に形成されている導光板の何れか一方の面でも両方の面でも良い。両方の面（正面及び背面）を発光面とする場合には、何れか一方の面と他方の面とで輝度を異ならせることもできる。例えば、正面を発光面とする場合には、前記導光部は背面側に形成する事ができ、当該背面側に溝又はドット等をエッチングや印刷によって形成する事ができる。また、当該導光板の両方の面を発光面とする場合には、前記導光部は、板状に形成されている導光板の内部に形成する事ができる。その際、正面側と背面側とで輝度を異ならせる場合には、当該内部に設けた導光部の色や形状を、正面側に向く面と背面側に向く面とで異ならせることができる。例えば当該導光部を印刷によって形成する場合、正面に向かう面を白色で、背面に向かう面を黒色で形成することもでき、透明な板状体を重ね合わせて、この重ね合わせる面に、当該導光部を設ける事もできる。
【００２８】
そして本発明にかかる面発光照明器具において、前記導光板は、光源から入射した光の進路の先端側に存在する端面（即ち、光の入射端面の反対側の端面）は、発光面との内角が鈍角（９０°を超える角度）となるように傾斜していることが望ましい。即ち、当該光の入射端面の反対側の端面は、導光部が形成されている部分に向かって傾斜していることが望ましい。例えば、導光板の正面側を発光面とする場合には、光源の光が入射する端面（入射端面）の反対側に存在する端面は、当該導光板内を直進してきた光が反射して、背面側に向かうように傾斜させることが望ましい。発光面の反対側の面（背面）には前記導光部が形成されていることから、前記傾斜した端面で反射した光を導光部に向かわせて、発光面の輝度を高めるようにするためである。
【００２９】
上記傾斜させて形成される端面は、正面側を発光面とする場合には、正面との内角が鈍角（背面との内角が鋭角）になる様に傾斜させることが望ましく、例えば正面との内角が９１°以上、１１０°以下（背面との内角が７０°以上、８９°以下）となるように傾斜させることが望ましい。但し、当該傾斜角度は、導光板の厚さに応じて適宜調整することが望ましく、導光板における光の入射端面から当該傾斜端面までの長さの      の位置に向かうように、傾斜させることが望ましい。また導光板の両面を発光面とする場合には、前記導光部が形成されている厚さ方向の中心部に向かって傾斜するように、導光板は厚さ方向の中央部分が突起するように傾斜させることができる。この時、当該突起する部分の内角は、１４０°以上、１７９°以下になるように形成する事ができる。
【００３０】
そして上記本発明にかかる面発光照明器具では、前記導光板と対向する様に反射板を配置している。この反射板は、導光板において発光面の反対側の面から出射される光を反射するものであり、当該発光面の反対側の面と対向するように配置する事ができる。かかる反射板は板状又はシート状に形成することができ、また前記導光部と同様に、光源から出射された光を反射できるように、その構造や色彩は光源から出射する光の波長に応じて、適宜選択する事ができる。
【００３１】
かかる反射板は、本発明にかかる面発光照明器具において、前記導光板と１ｃｍ以上、望ましくは５ｃｍ以上離して配置する。このように導光板と反射板とを離間して配置することにより、導光板から漏れた光は、当該反射板を均等に照射することができ、この光が当該導光板を透過して発光面から出射されることになる。その結果、当該発光面は導光部で反射した光だけでなく、この反射板で反射した光も出射することから、高輝度であると共に、光源から入力した光の光路長に起因する輝度ムラを生じさせることなく均等に発光する事ができる。この点、前記導光板と反射板との間隔が１ｃｍ未満とした場合には、反射板を傾斜させなければ、光源の近傍だけが明るくなり、輝度ムラが生じてしまう。
【００３２】
また、この反射板は導光板との距離を任意に調整できるように設置する事もできる。反射板と導光板との距離を任意に調整することにより、発光面における輝度や、明るさのばらつきなどを任意に調整する事ができ、任意の領域を明るくしたい場合、或いは情報表示装置として使用した場合、明るく表示したい情報との関係で、任意に調整する事ができる。
【００３３】
そして本発明にかかる面発光照明器具では、導光板に入射した光の全てが発光面から放出できるようにする為に、当該導光板は、少なくとも発光面以外を包囲する筐体内に収容することが望ましい。その際、当該筐体内において導光板の各面と対向する面は、光源の光を反射させる色で形成されていることが望ましい。かかる筐体を使用する事により、発光面以外の面から放射した光は、当該筐体内で反射されて発光面から出射されることになり、よって発光面の輝度を高める事ができる。
【００３４】
上記筐体は、少なくとも発光面以外を包囲するように形成されていることが望ましく、発光面の一部を覆うように形成されていても良い。すなわち、当該筐体は導光板の発光面の少なくとも一部が露出する開口が形成された箱体形状として実現する事ができる。また、筐体内において、導光板の各面と対向する面は、当該筐体の内面である他、別途、板状又はシート状の部材を前記導光板と対向配置しても良い。また、筐体内において、導光板から放射された光を反射させる面は、前記導光部や反射板と同様に、光源から照射される光の波長に応じて適宜選択されるべきものであり、光源が白色光を放出する場合には、当該面は白色等の反射率の高い色で形成されるのが望ましい。
【００３５】
そして本発明では、前記課題の少なくとも何れかを解決する為に、上記の面発光照明器具を備えた家具を提供する。即ち、テーブル、演台及びテレビ台を含む家具であって、少なくとも１又は２以上の面発光部分を備えており、当該面発光部分には、上記本発明にかかる面発光照明器具が装填されている家具を提供する。
【００３６】
かかる家具において、面発光部分は照明として設けられる他、各種の情報を電光表示する為に設けられても良い。例えば、当該家具が本棚やロッカー等であれば、照明や電光表示部として本発明にかかる面発光照明器具を設置する事ができ、また演台等であれば講演者の名称や講演内容を表示する電光表示部として、本発明にかかる面発光照明器具を設置する事ができる。
【００３７】
このような面発光照明器具を設置した家具においては、当該面発光照明器具の発光面側には特段の加工が設けられていないことから、通常の家具と変わりない方法で清掃を行う事ができる。また、当該面発光照明器具は、輝度ムラがなく、しかも高輝度で発光する事ができる事から、照明又は電光表示が一体化された照明として、一層付加価値を高める事ができる。特に、この面発光照明器具の光源としてＬＥＤやＣＣＦＬ等を使用した場合には、当該光源における発熱を抑え、より安全性の高い面発光を実現する事ができる。
【００３８】
かかる本発明の面発光照明器具を設置する家具は、木材や合板を用いて形成した家具、スチールその他の金属を用いて形成した家具、及び段ボールなどの紙を用いて形成した家具の何れであっても良く、これら材料を複合的に使用した家具であって良い。更に、様々な種類又は形状の家具において、１つの面発光照明器具を交互に利用できるようにする事も望ましい。例えば、当該面発光照明器具は、演台と花台との両方に設置できるように形成し、何れかに面発光照明器具を設置した場合には、他方における発光部が露出する為の開口には、これを塞ぐカバーを設けるのも望ましい。特に当該家具が、段ボールなどを使用する事により低コストで製造できる場合には、１つの面発光照明器具を準備しておけば、様々な家具で使用する事ができる。その為に、当該面発光照明器具を設置する家具は、これを設置する為の部位が共通した大きさに形成されるのが望ましい。
【００３９】
よって本発明では、複数の家具と、１つ以上の面発光照明器具とからなるシステム家具であって、それぞれの家具は、当該面発光照明器具を設置する設置部と、当該面発光照明器具における発光面を露出させる開口部が設けられているシステム家具を提供する。
【００４０】
そして本発明では、前記課題の少なくとも何れかを解決する為に、上記面発光照明器具を用いて形成した情報表示装置を提供する。即ち、光の透過によって情報を表示する情報表示シートと、当該情報表示シートに透過光を照射する照明器具とからなる情報表示装置であって、当該照明器具として、上記本発明にかかる面発光照明器具が使用されており、前記情報表示シートは、前記面発光照明器具の導光板における発光面の前面に設けられる情報表示装置を提供する。
【００４１】
かかる情報表示装置では、前記本発明にかかる面発光照明器具が発光することにより、その光が、当該面発光照明器具の発光面の前面に設けられている表示シートを透過して、当該表示シートに設けられている情報を表示させることができる。したがって、この表示シートは、光の透過によって情報を表示させるように形成される必要があり、透明なシートや板材に文字や絵柄等となる所望のパターンを、カラー印刷、ペイントの塗布、透過性のある着色された切抜片の貼付によって形成する他、透明または不透明なシートや板材を切り抜いて、文字や図形などの情報を表示させることができる。
【００４２】
かかる表示シートに記載する情報は、その用途に応じた内容であればよく、例えば当該情報表示装置を看板として使用する場合には、店名等の広告内容を表示する情報であって良い。また講演やイベント会場などで使用される掲示板や案内板であれば、講演内容や会場案内などの情報であって良い。
【００４３】
また、この上布表示装置としては、電光掲示板、電光広告、電光標識である他、商品を陳列するディスプレイや、空間装飾を行うオブジェクトまたはディスプレイとして具体化する事ができる。
【発明の効果】
【００４４】
上記本発明にかかる面発光照明器具では、発光面を備える導光板と対向状に反射板を配置しており、導光板において漏れた光（発光面以外に放出された光）を発光面に向かわせることができる事から、高輝度で光を発する事の出来る面発光照明器具が実現している。
【００４５】
また、当該反射板は、光が入射される導光板から１ｃｍ以上離間させて設置している事から、均等に光が照射され、これが導光板を透過して発光面から出射されることから、当該発光面に対して別途光を散乱させる為の構成を設ける必要を無くして、輝度ムラの無い光の照射できる面発光照明器具を提供する事ができる。
【００４６】
そして、前記導光部を印刷によって形成した場合には、様々な模様やパターンを印刷する事ができ、用途に応じて、或いは使用する導光板の大きさや厚さに応じて、更には使用する光源の明るさや色に応じて、最適な模様やパターンを印刷する事ができる。また、印刷するパターンの大きさや間隔を調整することにより、発光面全体を均等な明るさで発光させたり、任意の場所を明るく、或いは暗く発光させるように調整する事もできる。
【００４７】
さらに、上記本発明にかかる面発光照明器具において、これに使用する導光板として、光源から入射した光の進路の先端側に存在する端面が、発光面との内角が鈍角となるように傾斜している導光板を使用した場合には、当該先端側の端面から放出される光の減衰を少なくして、導光部により発光面に導くことができる。よってこの場合には、光が入射する端面の反対側の面に加工を施すことにより、入射光を効率的に正面側に放出する事ができるようにした面発光照明器具を提供する事ができる。
【００４８】
そして上記本発明にかかる面発光照明器具を設置した家具とする事により、輝度ムラが生じることなく、任意の情報を表示したり、或いは装飾的な効果を高めることのできる表示部を備えた家具とする事ができ、商品価値を一層高める事ができる。特に、この面発光照明器具に使用する光源として、ＬＥＤやＣＣＦＬ等を使用した場合には、発光時の熱も抑える事ができる事から、より安全性の高いディスプレイ付き家具が実現する。
【００４９】
そして上記面発光照明器具を備えた情報表示装置とした場合には、表示する情報を発光させて表示できる事から、より一層患者の注意をひくことのでき、また設置空間における意匠デザインの向上を実現する事の出来る情報表示装置を実現する事ができる。
【図面の簡単な説明】
【００５０】
【図１】本実施の形態にかかる面発光照明器具を示す要部拡大縦断面図
【図２】導光板における導光部の形成パターンを示す背面図
【図３】他の導光板を示す（Ａ）背面図、（Ｂ）照明状態を示す正面図
【図４】導光板の上端面構造を示す要部拡大縦断面図
【図５】面発光照明器具を使用した情報表示装置を示す分解斜視図
【図６】他の実施形態にかかる情報表示装置を示す分解斜視図
【図７】図６に示した情報表示装置の（Ａ）斜視図、（Ｂ）縦断面図
【図８】面発光照明器具を設置した円台を示す斜視図
【発明を実施するための形態】
【００５１】
以下、図面を参照しながら本実施の形態にかかる面発光照明器具50と、これを使用した情報表示装置60とディスプレイ付き家具70を具体的に説明する。
【００５２】
図１は本実施の形態にかかる面発光照明器具50を示す要部拡大縦断面図であり、図２は導光板10における導光部11の形成パターンを示す背面図であり、図３は他の導光板10を示す（Ａ）背面図、（Ｂ）照明状態を示す正面図であり、図４は導光板10の上端面構造を示す要部拡大縦断面図であり、図５は面発光照明器具50を使用した情報表示装置60を示す分解斜視図であり、図６は他の実施形態にかかる情報表示装置60を示す分解斜視図であり、図７は図６に示した情報表示装置60の（Ａ）斜視図、（Ｂ）縦断面図であり、図８は面発光照明器具50を設置した演台を示す斜視図である。
【００５３】
本実施の形態にかかる面発光照明器具50は、白色光を発する光源20と、この光源20の光を下方側端面から入射させる導光板10と、この導光板10の背面側に設けた反射板30とで構成している。
【００５４】
導光板10は透明なアクリル板を使用しており、本実施の形態では、特に厚さ５ｍｍのアクリル板を使用している。そして正面側を発光面12とし、背面側には導光部11として機能するドットを白色の塗料で印刷している。特に図１に示す様に、光源20の近傍となる下方側から上方側に向かって、ドットが徐々に密集するように印刷する場合には、各ドットを同じ大きさで印刷する事ができ、例えば直径０．１ｍｍ以上のドットを、複数印刷する事ができる。
【００５５】
反射板30は、少なくとも導光板10と対向する面が白色であって、本実施の形態では厚さ５ｍｍの発泡樹脂板を用いて形成している。反射板30を発泡樹脂で形成することにより軽量化を図る事ができると共に、板状に形成する事で当該反射板30に歪みなどの変形を生じさせない様にする事ができる。
【００５６】
このように形成した面発光照明器具50においては、光源20からの光が、導光板10の下側端面から入射すると、当該導光板10内を反射しながら進み、その反射の過程において背面に印刷した導光部11に当たって、その光が正面の発光面12から出射される。そしてこの導光板10から漏れた光は、背面側に存在する反射板30によって反射され、これが導光板10を通って、その発光面12から出射される。
【００５７】
また本実施の形態では、導光板10と反射板30とを１０ｃｍ離して、平行に対向配置している。したがって当該導光板10から漏洩した光は、反射板30に至る迄に散乱し、当該反射板30を輝度ムラ無く照射することができる。これにより、導光板10に対しては、背面側に導光部11を形成するのみで、正面の発光面12に、光を均等に散乱する為の加工やフィルムなどを設ける必要がなくなる。その結果、輝度ムラを無くしながらも、導光板10の加工を簡素化する事ができる。
【００５８】
なお上記の構成において、導光板10と反射板30との距離を１ｃｍ以下とした場合には、発光面12においては、光源20近傍の輝度が高いものの、高さ方向に徐々に輝度が低下してしまい、その結果輝度ムラが生じた。
【００５９】
図２は、この導光板10におけるドットの形成パターンを示しており、図２（Ａ）では同じ大きさのドットを、光源20の近傍は配置間隔を大きくして散在させており、光源20から離れるにしたがって配置間隔を小さくして密集させている。そして図２（Ｂ）では、光源20の近傍におけるドットを小さくし、光源20から離れるにしたがってドットを大きく形成している。その結果、光源20近傍における光量が多い領域では、光を反射させるドットの面積を減じ、一方で光路が長くなることにより光量が減少している領域では、光を反射させるドットの面積を増大させている事から、発光面12全体としては輝度ムラを無くして、均等に発光させることができる。なお、ドットの大きさを高さ方向に暫増させる場合には、光源に近い側に直径約0.24ｍｍのドットを形成し、光源から最も離れた側には、直径約0.66ｍｍのドットを形成する事ができる。また、この場合において、ドット同士の間隔を高さ方向に暫減することもできる。
【００６０】
なお、図２では導光板10の下端側にだけ光源20を配置した例を示しているが、当該導光板10の上下端面の両方に光源20を設けることもでき、その場合には、高さ方向の中心部分において、単位面積当たりのドットの面積の割合を増大させ、上下端部側では単位面積当たりのドットの面積の割合を小さくする事ができる。
【００６１】
図３は他の実施の形態にかかる面発光照明器具50を示しており、この実施の形態では図３（Ａ）に示す様に、導光板10に形成する導光部11のドットパターンを、導光板の左右両側と中心部分とで異ならせている。即ち、導光板10の左右両側には、光源寄りには、導光板10の単位面積当たりのドット面積の割合を大きくし、当該光源20から離れるにつれて、ドットを散在させて、導光板10の単位面積当たりのドット面積の割合を小さくしている。そして導光板10の幅方向中央部分は、当該左右両端側とは逆に、導光板10の近傍におけるドットの面積割合を小さくし、離れるにつれてドットの面積割合を大きくしている。このようにドット（導光部11）を形成した事により、図３（Ｂ）に示す様に、幅方向両側では光源20の近傍の輝度が高まり、高さ方向に急激に輝度が低下することになる。一方で、幅方向の中央部分は高さ方向の全域にわたって輝度を高め且つ均等に発光させることができる。なお、この図３に示す実施の形態においても、幅方向両側の上端側は、反射板30からの反射光が存在することから、僅かながらでも光を照射させることができる。
【００６２】
本実施の形態にかかる面発光照明器具50では、前記の様に導光板10と一定の間隔を置いて反射板30を設けている事から、高さ方向全体にわたって輝度を均等にさせ、更に光源20近傍の輝度を高めたとしても、光源20から離れた場所においては一定の輝度を確保して発光させることができる。
【００６３】
図４は光源20の光が入射する端面の反対側の端面を傾斜させた例を示している。この図４では、導光板10の下端面を光の入射端面15としており、上端面を傾斜させた傾斜端面16として形成している。本実施の形態では、当該傾斜端面16は、導光部11が形成されている背面側に向かうように傾斜させている。特に本実施の形態では当該傾斜端面16と発光面12との内角（θ）が９９°になる様に傾斜させている。このように傾斜させることで、導光板内を通ってきた光は、当該傾斜端面16に当たって、導光部11に向かう事ができる。そして導光部11において反射されて、発光面12から照射することができる。なお、この傾斜端面16における導光部11への反射量を増大させる為に、当該傾斜端面16には白色又は銀色など高反射率の色で反射部を設けることが望ましい。
【００６４】
図５は、上記面発光照明器具50を用いて形成した情報表示装置60の実施形態を示している。この実施形態にかかる情報表示装置60は、特に電光看板として具体化した例を示しており、前記した光源20、導光板10、及び反射板30を筐体40内に収容して構成される。筐体40は木材、段ボールなどの紙材、樹脂、スチールなどの各種材料で形成する事ができ、望ましくは内側の面は光源20が発する光を反射しやすい色や材質で形成する。特に、この実施の形態にかかる筐体40は、段ボールなどの紙材で形成しており、上面を開閉自在にし、正面側に、収容する導光板10の発光面12を露出させる開口部42を備えている。
【００６５】
本実施の形態にかかる筐体40内には、内部空間に収容する導光板10と反射板30を支持する支持フランジ41が、内側面から内部空間に板状に突起するように形成されており、上部開口43から差し入れた導光板10と反射板30が倒れたり、前後方向に揺れ又は移動しないように支持している。
【００６６】
筐体40内には、前記面発光照明器具50の前面側に、当該面発光照明器具50の光が透過することにより、記載されている情報を表示させる情報表示シート31が設けられている。本実施の形態において、当該情報表示シート31は透明なフィルム又は板材に、広告や注意事項、或いは図形などを印刷によって形成しており、情報の印刷には光を透過させる塗料や顔料、或いは光を透過させない塗料や顔料を用いる事ができる。
【００６７】
以上のように構成された情報表示シート31によれば、筐体40内において、導光板10の下端面に設けた光源20が発光することにより、その光は導光板10によって正面の発光面12から放出され、また導光板10から漏れた光は、背面側の反射板30や筐体40の内面で反射されて、すべての光を発光面12から出射させることができる。そしてこの発光面12から出射された光は、情報表示シート31を透過し、同時に情報表示シート31に記載されている情報を透過光によって表示させることができる。その際、本実施の形態にかかる面発光照明器具50は、発光面全体が輝度ムラ無く均等に明るく発光できる事から、当該情報表示シート31に記載されている情報を鮮やかに表示させることができる。
【００６８】
また、本実施の形態にかかる面発光照明器具50では、光源20としてＬＥＤを使用している事から、発光時における熱を抑える事ができ、よって当該筐体40は段ボールなどの紙材を用いて形成する事ができ、その結果軽量化を図る事ができると共に、製造コストを削減する事ができる。
【００６９】
この図５に示した実施の形態では、反射板30を筐体40とは別に設けていることから、導光板10との距離を任意に調整する事もできる。したがって、この導光板10と反射板30との距離を調整するだけで発光面12の明るさや輝度の均一性を調整する事ができ、よって多彩な発光パターンを実現した情報表示装置60とする事ができる。
【００７０】
ただし、この反射板30として、筐体40における背面パネル45を使用する事もできる。図６は、別途反射板30を用いることなく、筐体40の背面側を塞いでいるパネルを反射板30として使用した例を示している。このように形成した場合であっても、導光板10と筐体40の背面パネル45との間隔を１ｃｍ以上とする事により、輝度ムラの無い発光面12を実現する事ができる。但し、この実施の形態の情報表示装置60では、筐体40の背面パネル45の内面は、光源20の光を反射させる材料及び／又は色で形成する事が必要である。
【００７１】
図７（Ａ）は、図６に示した情報表示装置60を組み立てた状態を示す斜視図であり、図７（Ｂ）はその縦断面図である。このように形成した情報表示装置60では、導光板10の下端面に配置された光源20の光は導光板10によって正面の発光面12から出力され、また導光板10から漏れた光は、筐体40内において、特に背面パネル45の内面で反射されて発光面12から出力される。そしてこの光は、導光板10の正面側に存在する情報表示シート31を透過する事で、当該情報表示シート31に記載されている情報を表示させることができる。
【００７２】
そして図８は、上記の面発光照明器具50を使用して形成した家具70を示しており、この図では特に演台として具体化した例を示している。この家具70では正面側のパネルに、本実施の形態にかかる面発光照明器具50の発光面12を露出させる開口部が設けられており、この開口部から発光面12が露出するようにして、面発光照明器具50が設置されている。
【００７３】
このように形成した家具70では、当該面発光照明器具50が発光することにより、当該面発光照明器具50における発光面12の前面側に設けたシート31などに記載した情報を電光表示する事ができ、よって聴者の関心を高め、必要な情報を明確に伝える事の出来る演台を実現する事ができる。
【産業上の利用可能性】
【００７４】
上記本発明にかかる面発光照明器具は、室内外において面発光する照明として利用可能である他、任意の情報を表示する情報表示装置（電光パネルを含む）として、或いは空間デザインを演出する為の電光表示として利用する事ができる。
【００７５】
更に上記本発明の情報表示装置は、各種情報を表示する為のものとして広く使用する事ができ、例えば看板、店頭広告、掲示板、案内板などとして利用する事ができる。
【００７６】
そして上記本発明のディスプレイ付き家具は、必要な情報を電光表示する為、室内空間を演出する為、或いは空間の照明を備えた家具として利用する事ができる。
【符号の説明】
【００７７】
10    導光板
11    導光部
12    発光面
16    傾斜端面
20    光源
30    反射板
31    情報表示シート
40    筐体
41    支持フランジ
42    開口部
43    上部開口
45    背面パネル
50    面発光照明器具
60    情報表示装置
70    家具
【図１】
2017041386.tif 000003
【図２】
2017041386.tif 000004
【図３】
2017041386.tif 000005
【図４】
2017041386.tif 000006
【図５】
2017041386.tif 000007
【図６】
2017041386.tif 000008
【図７】
2017041386.tif 000009
【図８】
2017041386.tif 000010